(57)【要約】【課題】リーダーに近づけなくとも確実に個人情報を読み取ることができることにより各種ゲートの通過許可がスムーズに行える、ワイヤレスＩＤチップ付きストラップを得る。【解決手段】回路制御及び個人情報を蓄積するためのロジック回路と、リーダーとワイヤレスで情報伝送を行うためのＲＦ回路及びアンテナと、該ロジック回路やＲＦ回路に電源を供給するための電源回路及び携帯電話の外部接続端子と接続可能なコネクタ等にて構成し、又は回路制御及び個人情報を蓄積するためのロジック回路と、リーダーとワイヤレスで情報伝送を行うためのＲＦ回路及びアンテナと、携帯電話の赤外線通信部と赤外線通信を行うための赤外線回路及び赤外線受発光素子と、該ロジック回路やＲＦ回路及び赤外線回路に電源を供給するための電池等にて構成したワイヤレスＩＤチップを携帯電話等のストラップに取り付けて構成する。【選択図】　　　　図１
0003097172.tif 000002
【実用新案登録請求の範囲】
【請求項１】
回路制御及び個人情報を蓄積するためのロジック回路と、リーダーとワイヤレスで情報伝送を行うためのＲＦ回路及びアンテナと、該ロジック回路やＲＦ回路に電源を供給するための電源回路及び携帯電話の外部接続端子と接続可能なコネクタ等にて構成したワイヤレスＩＤチップを携帯電話等のストラップに取り付けて構成したことを特徴とした、バッテリーレス型のワイヤレスＩＤチップ付きストラップ。
【請求項２】
回路制御及び個人情報を蓄積するためのロジック回路と、リーダーとワイヤレスで情報伝送を行うためのＲＦ回路及びアンテナと、携帯電話の赤外線通信部と赤外線通信を行うための赤外線回路及び赤外線受発光素子と、該ロジック回路やＲＦ回路及び赤外線回路に電源を供給するための電池等にて構成したワイヤレスＩＤチップを携帯電話等のストラップに取り付けて構成したことを特徴とした、ワイヤレスＩＤチップ付きストラップ。
【請求項３】
請求項１又は請求項２によるワイヤレスＩＤチップ付きストラップに対応した携帯電話において、ＩＤ取得のためにインターネットモードでＩＤ発行会社のサイトに接続して個人情報の入力を行い、ＩＤ発行会社は該個人情報に基づいた情報をデータベースより取り出して要求元の携帯電話にＩＤ情報の発行を行い、
請求項１によるワイヤレスＩＤチップ付きストラップに対応した携帯電話の場合には、ワイヤレスＩＤチップのコネクタを携帯電話の外部接続端子に接続することにより携帯電話よりデータ読み出しを行ってロジック回路にＩＤ情報の蓄積を行い、
請求項２によるワイヤレスＩＤチップ付きストラップに対応した携帯電話の場合には、ワイヤレスＩＤチップの赤外線回路及び赤外線受発光素子と携帯電話の赤外線通信部間で赤外線通信を行うことによりデータ読み出しを行ってロジック回路にＩＤ情報の蓄積を行うことができることを特徴とした、請求項１又は請求項２に記載のワイヤレスＩＤチップ付きストラップ。
【考案の詳細な説明】
【０００１】
【考案の属する技術分野】
本考案は、各種個人情報を記憶することができるワイヤレスＩＤチップを携帯電話等のストラップに取り付けることにより、ワイヤレスによる各種個人情報の読み出し効率（速度，精度）の向上を図ることができる、ワイヤレスＩＤチップ付きストラップに関するものである。
【０００２】
【従来の技術】
従来、非接触即ちワイヤレスにより各種個人情報の読み出しを行うための個人情報蓄積媒体及び運用システムとして、鉄道の改札口等において利用客が所持するワイヤレスＩＤカード式の定期券により、改札口の通過許可を行うための自動改札システムがある。また、娯楽施設等において利用客に貸し出したワイヤレスＩＤチップ内蔵のリストバンド等により、各種施設の利用許可や精算を行うための自動精算システムがある。
【０００３】
【考案が解決しようとする課題】
しかしながら、上記ワイヤレスＩＤカード式の個人情報蓄積媒体においては、該ワイヤレスＩＤカードはカバンや財布の中等に入れている場合が多く、改札口等においてその都度カバンや財布等から取り出して読み取り装置（以後単にリーダーと称する）に近づけて読み取らせる必要があり面倒であった。また、ポケットの中等に入れている場合には、ワイヤレスＩＤカードが身体と密着した状態であるため電波の放射効率が悪くなり、確実に読み取らせるためには前記と同様にポケット等から取り出してリーダーに近づけて読み取らせる必要があった。このため、改札口等の通過がスムーズに行われないといった問題点があった。
【０００４】
また、リストバンド式の個人情報蓄積媒体においても、リストバンド等が身体と密着した状態であるため電波の放射効率が悪く、各種施設を利用するたびに当該施設の入り口に設置されているリーダーにリストバンド等を近づけて読み取らせる必要があった。このため、上記と同様に各種施設の通過がスムーズに行われないといった問題点があった。
【０００５】
本考案は、以上のような問題点を解決するために成されたものであり、個人情報蓄積媒体をリーダーに近づけなくとも確実に個人情報を読み取ることができることにより各種ゲートの通過許可がスムーズに行える、ワイヤレスＩＤチップ付きストラップを提供することを目的とする。
【０００６】
【課題を解決するための手段】
上記課題を解決するため、本考案のワイヤレスＩＤチップ付きストラップにおける第一考案は、回路制御及び個人情報を蓄積するためのロジック回路と、リーダーとワイヤレスで情報伝送を行うためのＲＦ回路及びアンテナと、該ロジック回路やＲＦ回路に電源を供給するための電源回路及び携帯電話の外部接続端子と接続可能なコネクタ等にて構成したワイヤレスＩＤチップを携帯電話等のストラップに取り付けて構成する。
【０００７】
また、本考案のワイヤレスＩＤチップ付きストラップにおける第二考案は、回路制御及び個人情報を蓄積するためのロジック回路と、リーダーとワイヤレスで情報伝送を行うためのＲＦ回路及びアンテナと、携帯電話の赤外線通信部と赤外線通信を行うための赤外線回路及び赤外線受発光素子と、該ロジック回路やＲＦ回路及び赤外線回路に電源を供給するための電池等にて構成したワイヤレスＩＤチップを携帯電話等のストラップに取り付けて構成する。
【０００８】
また、本考案のワイヤレスＩＤチップ付きストラップを用いたＩＤ発行の手順は、上記第一考案又は第二考案によるワイヤレスＩＤチップ付きストラップに対応した携帯電話において、ＩＤ取得のためにインターネットモードでＩＤ発行会社のサイトに接続して個人情報の入力を行い、ＩＤ発行会社は該個人情報に基づいた情報をデータベースより取り出して要求元の携帯電話にＩＤ情報の発行を行う。そして、第一考案によるワイヤレスＩＤチップ付きストラップに対応した携帯電話の場合には、ワイヤレスＩＤチップのコネクタを携帯電話の外部接続端子に接続することにより携帯電話よりデータ読み出しを行ってロジック回路にＩＤ情報の蓄積を行い、第二考案によるワイヤレスＩＤチップ付きストラップに対応した携帯電話の場合には、ワイヤレスＩＤチップの赤外線回路及び赤外線受発光素子と携帯電話の赤外線通信部間で赤外線通信を行うことによりデータ読み出しを行ってロジック回路にＩＤ情報の蓄積を行う。
【０００９】
【考案の実施の形態】
本考案の実施の形態を図を用いて説明する。図１は本考案のワイヤレスＩＤチップ付きストラップを構成する第一考案によるワイヤレスＩＤチップの回路ブロック図であり、回路制御及び個人情報を蓄積するためのロジック回路１０と、リーダーとワイヤレスで情報伝送を行うためのＲＦ回路１１及びアンテナ１３と、該ロジック回路１０やＲＦ回路１１に電源を供給するための電源回路１２及び携帯電話１の外部接続端子と接続可能なコネクタ５等にて構成したワイヤレスＩＤチップ３を携帯電話１等のストラップ２に取り付けて構成する。ロジック回路１０は、ＣＰＵやＡＳＩＣ及びメモリ等で構成する。ＲＦ回路１１は、約３ｍ離れたリーダーとワイヤレス通信が行えるものとする。電源回路１２は、携帯電話１からデータ読み出しを行う時は携帯電話１に内蔵の電池より電源供給を受けるが、リーダーと情報伝送を行っている時はリーダーからの受信エネルギーを電源回路１２に内蔵の発電回路により電力に変換して電源供給を行う。このため、バッテリーレスとなる。
【００１０】
また、図２は本考案のワイヤレスＩＤチップ付きストラップを構成する第二考案によるワイヤレスＩＤチップの回路ブロック図であり、回路制御及び個人情報を蓄積するためのロジック回路１０と、リーダーとワイヤレスで情報伝送を行うためのＲＦ回路１１及びアンテナ１３と、携帯電話１の赤外線通信部と赤外線通信を行うための赤外線回路１５及び赤外線受発光素子１６と、該ロジック回路１０やＲＦ回路１１及び赤外線回路１５に電源を供給するための電池１４等にて構成したワイヤレスＩＤチップ３を携帯電話１等のストラップ２に取り付けて構成する。ロジック回路１０及びＲＦ回路１１の機能は上記と同様である。電池１４は、小型のボタン電池等が好適である。
【００１１】
また、図３は本考案のワイヤレスＩＤチップ付きストラップを用いたＩＤ発行の手順を示した図であり、上記第一考案又は第二考案によるワイヤレスＩＤチップ付きストラップ４に対応した携帯電話１において、ＩＤ取得のためにインターネットモード例えばＮＴＴドコモのｉモード等でＩＤ発行会社８のサイトに接続して個人情報の入力を行い、ＩＤ発行会社８は該個人情報に基づいた情報をデータベース８より取り出して要求元の携帯電話１にＩＤ情報の発行を行う。そして、第一考案によるワイヤレスＩＤチップ付きストラップ４に対応した携帯電話１の場合には、ワイヤレスＩＤチップ３のコネクタ５を携帯電話１の外部接続端子に接続することにより携帯電話１よりデータ読み出しを行ってロジック回路１０の一部を構成するメモリにＩＤ情報の蓄積を行い、第二考案によるワイヤレスＩＤチップ付きストラップ４に対応した携帯電話１の場合には、ワイヤレスＩＤチップ３の赤外線回路１５及び赤外線受発光素子１６と携帯電話１の赤外線通信部間で赤外線通信を行うことによりデータ読み出しを行ってロジック回路１０の一部を構成するメモリにＩＤ情報の蓄積を行う。
【００１２】
【実施例】
本考案の実施例として、イベント会場におけるチケット購入と自動入場を行う場合の手順を図３に基づいて説明する。
【００１３】
まず、イベント会場に入場を希望する利用者は、第一考案又は第二考案によるワイヤレスＩＤチップ付きストラップ４に対応した携帯電話１でインターネットモード例えばＮＴＴドコモのｉモード等によりチケットのＩＤ発行会社８のサイトにアクセスする。図３では、▲１▼のように携帯電話１からのアクセスがキャリア無線基地局６を中継し、▲２▼のように携帯電話網７を経由してチケットのＩＤ発行会社８のサイトに接続される状態を示している。
【００１４】
次に、該サイトの個人情報入力画面より利用者本人であることを認証するための情報例えば氏名やパスワード等を入力する。チケットのＩＤ発行会社７は、該情報に基づきデータベース９内に予め登録された個人情報データとの照合を行い、本人の確認とプリペイドカードやクレジットカード又はキャッシュカード等の利用可能残金の確認を行い、チケットの発行が可能であると判断した場合にはチケットＩＤを要求元の携帯電話１に送信する。図３では、▲３▼のようにチケットのＩＤ発行会社８より携帯電話網７を経由し、▲４▼のようにキャリア無線基地局６を中継して携帯電話１にチケットＩＤが送信される状態を示している。
【００１５】
次に、第一考案によるワイヤレスＩＤチップ付きストラップ４に対応した携帯電話１を使用している場合には、ワイヤレスＩＤチップ３のコネクタ５を携帯電話１の外部接続端子に接続することにより、携帯電話１よりチケットＩＤの読み取りを行い、ロジック回路１０の一部を構成するメモリに当該チケットＩＤ情報の蓄積を行う。この時のロジック回路１０は、コネクタ５を経由して携帯電話１から電源の供給を受けて動作を行う。
【００１６】
また、第二考案によるワイヤレスＩＤチップ付きストラップ４に対応した携帯電話１を使用している場合には、ワイヤレスＩＤチップ３の赤外線回路１５及び赤外線受発光素子１６と携帯電話１の赤外線通信部間で赤外線通信を行うことにより、携帯電話１よりチケットＩＤの読み取りを行い、ロジック回路１０の一部を構成するメモリに当該チケットＩＤ情報の蓄積を行う。この時のロジック回路１０及び赤外線回路１５は、ワイヤレスＩＤチップ３に内蔵の電池１４にて動作を行う。
【００１７】
次に、図４は本考案のワイヤレスＩＤチップ付きストラップからＩＤ情報を読み取る手段を示した図であり、イベント会場の入り口ゲートに設置されたリーダー１７は、▲６▼のようにワイヤレスにてチケットＩＤ読み取り信号を連続的に発信している。この時、ワイヤレスＩＤチップ付きストラップ４を所持した利用者が当該入り口ゲートに近づくと、ワイヤレスＩＤチップ３に内蔵のアンテナ１３及びＲＦ回路１１でチケットＩＤ読み取り信号を受信する。そして、該チケットＩＤ読み取り信号に応答して、▲７▼のようにチケットＩＤ情報をリーダー１７に送信する。なお、第一考案によるワイヤレスＩＤチップ付きストラップ４においては、チケットＩＤ読み取り信号による受信エネルギーを電源回路１２に内蔵の発電回路により電力に変換し、ロジック回路１０及びＲＦ回路１１の電源とする。
【００１８】
リーダー１７は、該チケットＩＤ情報を上位サーバ（図示せず）に送信し、登録されたチケットＩＤ情報と認証された場合には入り口ゲートを開くことにより自動入場を行うことができる。
【００１９】
上記自動入場の動作において、ワイヤレスＩＤチップ付きストラップ４は身体と密着しない状態で所持されるため電波の放射効率が改善され、リーダー１７に近づけて読み取らせる必要がない。このため、各種ゲートの通過許可がスムーズに行えることになる。
【００２０】
なお、該イベント会場内に別ゲートがある場合においても同様の手順により通過許可が行え、更に有料のゲートの場合にはリーダー１７に接続された上位サーバ及びネットワーク（図示せず）を経由してプリペイドカードやクレジットカード又はキャッシュカード等から利用料金の自動精算を行うことができる。また、該利用料金情報は前述のチケットのＩＤ発行会社８のデータベース９にも更新蓄積されているため、携帯電話１よりチケットのＩＤ発行会社８のサイトにアクセスして確認することも可能である。
【００２１】
上記はイベント会場を利用する場合の実施例について説明したが、本考案のワイヤレスＩＤチップ付きストラップ４を用いたＩＤ発行の手順を応用すれば他の用途例えば社員食堂の料金精算，ホテルにおける鍵の解錠や精算，社員の出退勤管理，利用者の位置情報及び動線管理など様々な利用用途が見込まれる。また、該ワイヤレスＩＤチップ３に非接触型の書き込み・読み出し可能なＣＰＵチップ（図示せず）を内蔵すれば、更に大量の情報を処理することが可能となるため、ワイヤレスＩＤチップ付きストラップ４を採用した病院において患者の電子カルテ情報を処理すること等も可能となる。
【００２２】
【考案の効果】
以上述べたように、本考案のワイヤレスＩＤチップ付きストラップによれば、個人情報蓄積媒体であるワイヤレスＩＤチップ付きストラップをリーダーに近づけなくとも確実に個人情報を読み取ることができるため、各種ゲートの通過許可がスムーズに行えることになる。また、有料のゲートの場合にはリーダーに接続された上位サーバ及びネットワークを経由してプリペイドカードやクレジットカード又はキャッシュカード等から利用料金の自動精算を行うことができ、更には携帯電話よりＩＤ発行会社のサイトにアクセスしてこれらの情報を確認することも可能であるという絶大なる効果を奏する。
【図面の簡単な説明】
【図１】本考案のワイヤレスＩＤチップ付きストラップを構成する第一考案によるワイヤレスＩＤチップの回路ブロック図である。
【図２】本考案のワイヤレスＩＤチップ付きストラップを構成する第二考案によるワイヤレスＩＤチップの回路ブロック図である。
【図３】本考案のワイヤレスＩＤチップ付きストラップを用いたＩＤ発行の手順を示した図である。
【図４】本考案のワイヤレスＩＤチップ付きストラップからＩＤ情報を読み取る手段を示した図である。
【符号の説明】
１　携帯電話
２　ストラップ
３　ワイヤレスＩＤチップ
４　ワイヤレスＩＤチップ付きストラップ
５　コネクタ
６　キャリア無線基地局
７　携帯電話網
８　ＩＤ発行会社
９　データベース
１０　ロジック回路
１１　ＲＦ回路
１２　電源回路
１３　アンテナ
１４　電池
１５　赤外線回路
１６　赤外線受発光素子
１７　リーダー
【図１】
0003097172.tif 000003
【図２】
0003097172.tif 000004
【図３】
0003097172.tif 000005
【図４】
0003097172.tif 000006